(57)【特許請求の範囲】
【請求項１】
シャッターの開閉駆動系に設けられるスプリングを選定するシャッター用スプリング選定装置であって、
スプリング選定のためのシャッターの仕様等の選定条件が外部入力される入力手段と、
複数のシャッター仕様及びスプリングのデータが格納される格納手段と、
前記入力手段の入力に基づき前記格納手段に格納されたデータを用いて前記シャッター仕様に適合するスプリングを選定する選定手段と、
前記選定手段で選定されたスプリングのデータを外部出力する出力手段と、
を具備することを特徴とするシャッター用スプリング選定装置。
【請求項２】
前記選定手段には、シャッター仕様に基づきシャッター開閉時の基準トルク値に対する選定されたスプリングが有するトルク値をバランスチェック図を用いて評価するトルクバランスチェック部が設けられた請求項１記載のシャッター用スプリング選定装置。
【請求項３】
前記格納手段に格納される複数のシャッター仕様及びスプリングのデータは、外部入力により更新可能な請求項１記載のシャッター用スプリング選定装置。
【請求項４】
前記選定手段には、シャッター仕様に基づきスプリングを収納するカゴの形状、及び選定されたスプリングの形状を前記カゴ内の配置箇所に仮想的に図形表示することにより、
カゴ内でのスプリングの収納状態を評価する収納状態シミュレーション部が設けられた請求項１記載のシャッター用スプリング選定装置。
【請求項５】
前記収納状態シミュレーション部は、カゴの外径に対し前記選定されたスプリングの外径が大きいとき、収納不可な状態を示す特殊表示を行う請求項４記載のシャッター用スプリング選定装置。
【請求項６】
前記入力手段及び／又は出力手段には、外部装置との間で通信を行う通信手段が設けられ、該通信手段を介して選定条件が入力され、選定されたスプリングのデータが出力される構成である請求項１記載のシャッター用スプリング選定装置。
【請求項７】
シャッターの開閉駆動系に設けられるスプリングを選定するシャッター用スプリング選定方法であって、
スプリング選定のためのシャッターの仕様等が入力される第１のステップと、
前記入力に基づき、該当するシャッター仕様に対応するデータのデフォルト値を格納手段から読み出す第２のステップと、
前記シャッター仕様に対応するデータに基づき、該シャッター仕様に適合するスプリングを選定する第３のステップと、
を有することを特徴とするシャッター用スプリング選定方法。
【請求項８】
前記第３のステップにより選定されたスプリングが有するトルク値をシャッター開閉に必要な基準トルク値を示すバランスチェック図を用いて評価する第４のステップと、
前記第３のステップにより選定されたスプリングを前記カゴ内の配置箇所に仮想的に図形表示することにより収納シミュレーションする第５のステップと、
を有する請求項７記載のシャッター用スプリング選定方法。
【請求項９】
前記第４のステップで表示されたバランスチェックの結果、あるいは第５のステップでの収納シミュレーションの結果のいずれかが評価基準を満たしていないとき、新たなスプリングを選定し直すべく、
前記第２のステップで既に読み出されたシャッター仕様に対応するデータのデフォルト値のうち、スプリング選定にかかる所定の項目のデータを変更設定する第６のステップと、
前記第６のステップで一部変更設定されたデータに基づき、スプリングを選定し直す第７のステップと、
を有する請求項８記載のシャッター用スプリング選定方法。
【発明の詳細な説明】
【０００１】
【発明の属する技術分野】
本発明は、シャッターに用いられるスプリングを選定するシャッター用スプリング選定装置及び方法に関する。
【０００２】
【従来の技術】
図６は、シャッターケース３０内部に設けられるスプリングを示す正断面図である。
シャッターを構成するスラットは所定の重量を有するため、カゴ内にスプリング３１が設けられる。このカゴは、巻取りホイール３３と連結杆３３ａとによって形成される内部空間を示す。
そして、スプリング３１は、コイル状に形成されており、図示の例では左右対称なカゴ内にそれぞれ１本づつ配置され、各スプリング３１は、一端３１ａが固定竿３５に固定され、他端３１ｂはスラット３２を巻き取る巻取りホイール３３に連結されている。
【０００３】
このスプリング３１を設けることにより、シャッターの開閉状態に関わらず常にこのシャッターの自重分をキャンセルする平衡状態にすることができるため、シャッターの開放操作を小さな力で行え、また、閉鎖操作時にも自重による落下を防止でき、併せて開閉機３４の負荷が軽減できるようになる。同時に手動での開閉操作時の負荷も軽減できる。
【０００４】
このスプリング３１は、各シャッターの種類や、開口部の間口および高さ等に基づいてこのシャッターに適応したバネ力を有するものが用いられる。
【０００５】
【発明が解決しようとする課題】
このため、開口の違い等、各シャッターに適したバネ力のスプリング３１を選定する必要があるが、このバネは、材質（スプリング種類）、線径、巻径（幅）、長さ、巻数によって異なり、選定に手間がかかった。
さらに、シャッター別に開閉時に生じるトルクが異なる上、開放時と閉鎖時にも異なるトルクとなるため、これらのトルクを鑑みて適合するスプリング３１を選定するために、シャッターに開閉に必要なトルク計算を行った上で、これに選定されたスプリング３１のバネ力をあてはめて適合性の判断を行っており、スプリング３１の選定作業に多大な時間がかかるものであった。
【０００６】
また、このスプリング３１は、カゴ内に収まる幅及び長さを有するものを選定しなければならない。従来は、適合したバネ力のスプリング３１が選定された後に、このスプリング３１をカゴ内に納めようとしても、このスプリング３１がカゴ内に収容できない大きさのものとなることがあった。
この場合、スプリング３１を再度始めから選定し直さねばならず、設計に手間がかかった。
【０００７】
本発明は、上記課題を解決するためになされたものであり、間口及び高さ、開閉に必要なトルクが各異なるシャッターにそれぞれ適応するスプリングを容易に選定でき、併せてスプリングの選定結果の信頼性を向上させてシャッター設計から製造までを効率化できるシャッター用スプリング選定装置及び方法を提供することを目的としている。
【０００８】
【課題を解決するための手段】
上記目的を達成するため、本発明のシャッター用スプリング選定装置は、シャッターの開閉駆動系に設けられるスプリングを選定するシャッター用スプリング選定装置であって、
スプリング選定のためのシャッターの仕様等の選定条件が外部入力される入力手段１と、
複数のシャッター仕様及びスプリングのデータが格納される格納手段３と、
前記入力手段１の入力に基づき前記格納手段に格納されたデータを用いて前記シャッター仕様に適合するスプリングを選定する選定手段２と、
前記選定手段２で選定されたスプリングのデータを外部出力する出力手段４と、を具備することを特徴としている。
【０００９】
また、前記選定手段２には、シャッター仕様に基づきシャッター開閉時の基準トルク値に対する選定されたスプリングが有するトルク値をバランスチェック図を用いて評価するトルクバランスチェック部１４が設けられた構成とすることができる。
【００１０】
また、前記格納手段３に格納される複数のシャッター仕様及びスプリングのデータは、外部入力により更新可能な構成とすることができる。
【００１１】
また、前記選定手段２には、シャッター仕様に基づきスプリングを収納するカゴの形状、及び選定されたスプリングの形状を前記カゴ内の配置箇所に仮想的に図形表示することにより、
カゴ内でのスプリングの収納状態を評価する収納状態シミュレーション部１５が設けられた構成としてもよい。
【００１２】
また、前記収納状態シミュレーション部１５は、カゴの外径に対し前記選定されたスプリングの外径が大きいとき、収納不可な状態を示す特殊表示を行う構成とすることができる。
【００１３】
また、前記入力手段１及び／又は出力手段４には、外部装置との間で通信を行う通信手段１ｂ，４ｄが設けられ、該通信手段１ｂ，４ｄを介して選定条件が入力され、選定されたスプリングのデータが出力される構成としてもよい。
【００１４】
また、本発明の方法は、シャッターの開閉駆動系に設けられるスプリングを選定するシャッター用スプリング選定方法であって、
スプリング選定のためのシャッターの仕様等が入力される第１のステップと、
前記入力に基づき、該当するシャッター仕様に対応するデータのデフォルト値を格納手段から読み出す第２のステップと、
前記シャッター仕様に対応するデータに基づき、該シャッター仕様に適合するスプリングを選定する第３のステップと、
を有することを特徴としている。
【００１５】
また、前記第３のステップにより選定されたスプリングが有するトルク値をシャッター開閉に必要な基準トルク値を示すバランスチェック図を用いて評価する第４のステップと、
前記第３のステップにより選定されたスプリングを前記カゴ内の配置箇所に仮想的に図形表示することにより収納シミュレーションする第５のステップと、
を有してもよい。
【００１６】
また、前記第４のステップで表示されたバランスチェックの結果、あるいは第５のステップでの収納シミュレーションの結果のいずれかが評価基準を満たしていないとき、新たなスプリングを選定し直すべく、
前記第２のステップで既に読み出されたシャッター仕様に対応するデータのデフォルト値のうち、スプリング選定にかかる所定の項目のデータを変更設定する第６のステップと、
前記第６のステップで一部変更設定されたデータに基づき、スプリングを選定し直す第７のステップと、
を有してもよい。
【００１７】
上記構成によれば、入力手段１からシャッター仕様等の選定条件を入力すると、選定手段２は格納手段３からシャッター仕様及びスプリングのデータを用いてシャッター仕様に適合するスプリングを選定し、出力手段４から出力する。
選定手段２に設けられたトルクバランスチェック部１４は、選定されたスプリングのトルク値がシャッター開閉時の基準トルク値に適合するか否かをバランスチェック図を用いて評価する。
収納状態シミュレーション部１５は、選定されたスプリングをシャッターのカゴ内に仮想的に図形表示して収納できるか否かを評価し、収納できない場合には特殊表示を行う。これら図面表示により問題点の発生を容易に把握できる。
トルクバランスチェック部１４、収納状態シミュレーション部１５での評価が評価基準を満たさなかった場合には、入力手段１から前記選定条件を変更して入力することにより、再度、選定手段２はシャッターに適合するスプリングを選定する。
選定されたスプリングは、スプリング選定表の対応するセル部分に格納され、以降、このセルを開くだけで選定されたスプリングのデータを得ることができる。
【００１８】
【発明の実施の形態】
図１は、本発明のシャッター用スプリング選定装置を示すブロック図である。この装置は、汎用のコンピュータ装置と、このコンピュータ装置に組み込まれ所定の実行処理を行うためのソフトウェアで構成される。
【００１９】
装置は、大略して入力手段１、選定手段２、格納手段３、出力手段４で構成されている。
入力手段１は、操作部１ａ、及び通信手段１ｂで構成され、装置動作用のデータが外部入力される。操作部１ａは、キーボード、マウス等の入力用操作機器で構成される。通信手段１ｂは、通信回線、ＬＡＮ、接続ケーブルを介して外部装置からのデータ受信を行う。この通信手段１ｂは後述するスプリング選定のためのデータの入力のみに限らず、本装置を外部で遠隔操作する制御データも含むことができる。
選定手段２は、ＭＰＵ等からなりソフトウェアに基づきスプリング選定のための処理プログラムを実行する。
【００２０】
格納手段３には、予め選定されるスプリングの種類別の選定用データが格納され、シャッター各部の項目がデータ形式で格納されるシャッターＤＢ３ａ、スプリングの項目がデータ形式で格納されるスプリングＤＢ３ｂを有する。
これら、シャッターＤＢ３ａ，スプリングＤＢ３ｂは、マスタ更新に合わせて外部装置から通信手段１ｂ，４ｄを介して格納手段３に取込み／あるいは取り出すことができ、また、一部削除及び更新が行える。
【００２１】
出力手段４は、選定手段２の操作内容や選定結果等を画面表示するＣＲＴ等の表示部４ａ、選定用の各図面を作図するプロッタ等の作図部４ｂ、選定結果をＦＤ等に記憶し、外部出力するための記憶媒体４ｃ等で構成されている。また、通信手段４ｄは、通信回線、ＬＡＮ、接続ケーブルを介して外部装置にデータを送信する。
これら通信手段１ｂ，４ｄは、同一／あるいは異なる外部装置との間で所定の通信手順に従いデータ伝送（送信／受信）する。このデータ伝送は同一／あるいは異なる伝送線を用いて行われる。
【００２２】
入力手段１に外部入力されたデータは、選定手段２の入力部６に出力される。入力部６は、操作信号の内容別にこの操作信号を入力項目設定部７、あるいは選定条件設定部８に出力する。
選定条件設定部７には、スプリング選定にかかる選定条件が設定される。
この選定条件としては、スプリングが設けられるシャッターの各項目（手動／電動シャッター、内巻／外巻）が選択設定される。
この設定により、あるシャッターに係るスプリング選定のための基本設定がなされる。
【００２３】
後述するように、この基本設定により項目設定されたシャッターには、対応して１つのスプリング選定表が作成されることになるが、このスプリング選定表には間口及び高さ別に複数のセルが設けられる。
したがって、選定条件設定部７には、ある特定した間口及び高さ（１つのセルに相当）のシャッターに最適なスプリングを選択するために、この間口及び高さの項目が入力手段１への入力で設定される。
【００２４】
入力項目設定部８は、巻取りホイールの種類、スラットの種類、水切りの種類がそれぞれ選択して設定される。
これらは、格納手段３内に予め記憶されている各種項目から選択設定される。
シャッターにかかる各項目（スラットの種類、ホイール種類、カゴ種類、水切り種類、緩衝装置、納まり種類等）は、シャッターＤＢ３ａから選択設定される。
スプリングにかかる各項目（スプリングの種類、巻径表）は、スプリングＤＢ３ｂから選択設定される。
これら選定条件設定部７及び入力項目設定部８で設定された各項目は、演算部１０に出力され、このシャッターに最適なスプリングが選定される。
【００２５】
次に、この演算部１０の各構成を説明する。
スプリング選定部１１は、選定条件設定部７で設定されたシャッターに対し、入力項目設定部８で設定された各項目を用いてスプリングを選定する。
入力項目設定部８では、選定上必要な最低限の項目（巻取りホイールの種類、スラットの種類、水切りの種類）について、入力手段１への入力で設定する。また、これ以外の項目は、シャッターＤＢ３ａ，スプリングＤＢ３ｂのデフォルト値（記憶されている基本値）が設定される。
尚、後述するように、スプリングの選定処理後にこのデフォルト値を変更設定して再度スプリング選定を行えるようになっている。
【００２６】
このスプリング選定部１１では、シャッターに関して設定された項目（スラットの重量や応力等）に基づき、これに平衡なスプリングトルク値を有するスプリングを選定する。
この選定対象となるスプリングは、予め複数種類用意されており各スプリングのデータ（外径や巻数、スプリングトルク値等）が識別番号とともに記憶されている。
スプリング選定部１１は、最適なスプリングの識別番号を指定する。この識別番号は、製造部門等で使用している製品コード等を用いることができる。
【００２７】
スプリング選定表作成部１２は、この選定されたスプリングのデータをスプリング選定表に格納する。
スプリング選定表は、図２に示す如く、基本設定されたシャッターについてこのシャッターの開口部の間口（横軸）及び高さ（縦軸）別にマトリクス状の表形式で設定されたものである。ある間口と高さの位置は１つのセルとされる。
そして、前記選定されたスプリングのデータは、選定の基礎となった開口部の間口及び高さの箇所のセルに格納されるようになっている。例えば、図中Ａ箇所は、間口（Ｗ）が２．０ｍを越え２．２ｍ以内で高さ（Ｈ）が２．４ｍを越え２．６ｍ以内のシャッターに設けられるスプリングのデータが格納されるセルである。
【００２８】
出力部１３は、選定されたスプリングのデータや、前記スプリング選定表を出力手段４に外部出力する。
前記スプリング選定表作成部１２で作成されたスプリング選定表は、出力手段４によって各種形態で出力でき、例えば表示部４ａには、この図２と同様の状態（各間口、高さ部分にそれぞれセルを有した状態）で画面表示される。
格納された後のスプリングのデータは、間口及び高さに対応するセルを開く操作を行うことにより得られる。
【００２９】
トルクバランスチェック部１４は、スプリング選定部１１で選定されたスプリングのスプリングトルク値をバランスチェック図を用いてバランスチェックする。
バランスチェック図は、図３に示されている。このバランスチェック図は、横軸が巻取りホイールの回転数Ｎであり、縦軸がトルク値である。
このバランスチェック図のうち、上下２本の実線で示された折れ線は、それぞれシャッターの項目設定に基づき得られる開放時及び閉鎖時のトルク値ＯＴ，ＣＴを示すものであり、図示のようにシャッターは一般的には、開放時と閉鎖時とではシャッターの昇降方向が異なり加わる負荷が異なるため、異なるトルク値となっている。
【００３０】
これら基準となるトルク値ＯＴ，ＣＴは、摩擦力、シャッターカーテン支点部までの腕長さ等の条件入力により、巻取りホイールのＮ回転毎に複数のトルク値（例えばＭ０〜Ｍ９等）の計算結果が用いられる。
そして、選定されるスプリングのトルク値ＳＴは、これら開放時と閉鎖時のいずれについてもシャッターを平衡状態（昇降いずれの方向にも付勢力が働かない状態）とすることが望ましいことから、これら開放時と閉鎖時の折れ線で示されるトルク値ＯＴ，ＣＴのいずれにも近い値（望ましくはＯＴ，ＣＴ範囲内での中間値）となる必要がある。
トルクバランスチェック部１４は、後述するように開放時及び閉鎖時のトルク値ＯＴ，ＣＴに対して選定されたスプリングのトルク値ＳＴが一定範囲にあるか否かを判断する。
【００３１】
このように、トルクバランスチェック部１４では、バランスチェック図を用いて、選定されたスプリングが有するトルクと、シャッター開閉に必要なトルクとを比較することにより、スプリングのバランスチェックを行い、この結果は表示部４ａの画面表示等で確認できるようになっている。
【００３２】
収納状態シミュレーション部１５は、前記選択されたスプリングの配置状態を図面上で展開表示する。具体的には、図４に示すように、前記選定されたシャッターＤＢ３ａのカゴ種類からカゴの外径（長さ及び幅）の配置状態を仮想的に展開表示し、また、このカゴ内に前記選択されたスプリングの外径（長さ及び幅）を展開表示する。図示の例では、スプリングが点線で表示されている。
【００３３】
これらカゴとスプリングは必要箇所について長さ及び幅が数値表示されるようになっている。例えば、図４中Ｄ，Ｄ１はカゴ全体の長さ及び幅を示し、Ｅは計３個の巻取りホイール間に形成された２つのカゴそれぞれの長さを示す。Ｌは選択された各スプリングの長さを示し、ｄ１は固定軸の太さを示している。
この収納状態シミュレーション部１５により、選択されたスプリングがカゴ内に収納できるか否かを表示部４ａの画面表示等で確認することができる。
ここで、選択されたスプリングは、ｄ１より大きな内径を有し、Ｅより短い長さを有し、Ｄ１より幅狭であるときに限り、カゴ内に収納できることになり、収納状態シミュレーション部１５はいずれかでも満たさないとき収納できないと判断する。
【００３４】
次に、上記構成による装置の選定処理動作を図５のフローチャートを用いて説明する。
始めに入力手段１を介してシャッターの仕様（手動／電動シャッター、内巻／外巻、開口部の間口及び高さ）の各項目を選定条件設定部７に入力する（ＳＰ１）。これにより、スプリング選定表作成の基本設定がなされ、スプリング選定表内で対応するセルの位置が決定される。
【００３５】
次に、上記仕様が基本設定されたシャッターについてさらに詳細な項目を入力設定する（ＳＰ２）。
巻取りホイールの種類、スラットの種類、水切りの種類の各項目については、入力手段１の入力で設定され、他の項目についてはシャッターＤＢ３ａ，スプリングＤＢ３ｂ内に予め記憶されている各項目（スプリングの種類、巻径表、カゴ種類、緩衝装置、納まり種類等）のデフォルト値が読み出される。
【００３６】
つぎに、演算部１０のスプリング選定部１１は、これら選定条件設定部７及び入力項目設定部８の設定内容に基づきこのシャッターに最適なスプリングを選定処理する（ＳＰ３）。スプリングの選定にあたっては、前記入力設定された各項目に基づき、シャッターの種類、間口及び高さに適合するものが選定される。
【００３７】
この選定されたスプリングは、スプリング選定表作成部１２により、図２に示すスプリング選定表の対応する間口及び高さのセル部分にスプリングのデータ及び識別番号が設定記憶されるようになっている。
【００３８】
次に、この選定処理されたスプリングをこのシャッターに用いたときの特性が評価される。この評価作業は、選定されたスプリングについてトルク特性のバランスチェックと、収納状態シミュレーションを行う。
トルク特性のバランスチェックは、入力手段１への入力でトルクバランスチェック部１４を起動させて行う。トルクバランスチェック部１４は、このシャッターのトルク特性上に選定されたスプリングのトルク特性をあてはめて図３に示すバランスチェック図を作成する（ＳＰ４）。
【００３９】
そして、このバランスチェック図により、シャッター開閉に必要な基準のトルク値ＯＴ，ＣＴと、選定されたスプリングのトルク特性ＳＴを比較し、基準のトルク値ＯＴ，ＣＴに対し一定範囲内にトルク特性ＳＴが位置しているときには、このスプリングのトルク特性がシャッターに適合しているものと判断し、次の収納状態シミュレーションに移行できる（ＳＰ５−ＹＥＳ）。
【００４０】
収納状態シミュレーションは、入力手段１への入力に基づき収納状態シミュレーション部１５を起動させて行う。収納状態シミュレーション部１５は、カゴの各寸法とスプリングの各寸法に基づき、図４に示すように、カゴ内にスプリングを仮想的に平面配置した状態をシミュレーションする（ＳＰ６）。
このとき、図示のように例えばカゴ内にスプリングが２つ収容される構成のシャッタのとき、各スプリングは、一端が巻取りホイールの部分から互いに他端が内側に向けてこのスプリングの全長分だけ仮想的に配置表示される。
【００４１】
そして、収納状態シミュレーション部１５は、選定されたスプリングがカゴ内に収容されている状態として表示されている場合には、このスプリングがシャッターに配置できるものと判断される（ＳＰ７−ＹＥＳ）。
収納状態シミュレーション部１５は、カゴの外径（長さ及び幅）に対し選定されたスプリングの外径（長さ及び幅）の方が大きく収納できない状態であるときには、カゴに対しスプリングを異なる色（例えば赤色）等としてスプリングを視認し易い状態に表示したり、収納不可である旨のウインドウ表示や、文字表示を行う等、収納不可の状態を容易に視認できる特殊表示を行う。
【００４２】
これらバランスチェック図と収納状態シミュレーションは、レイヤ構造とされており、前記スプリング選定部１１での選定結果を受けて作成されるものであり、入力手段１への入力でいずれか一方を先に起動できるものであり、その作業の順番は任意に行える。
【００４３】
以上のように、選定されたスプリングの確認作業を正常に終了すると、スプリングのデータと識別番号がスプリング選定表の対応するセルに設定され、また、トルク特性がバランスチェック図に設定された形で装置内に格納される。
この選定されたスプリングは、スプリング選定表及びバランスチェック図として出力手段４に出力することができる（ＳＰ８）。
出力手段４では、前記操作時の表示画面である表示部４ａの他、プロッタ等の作図部４ｂからこれらスプリング選定表やバランスチェック図を出図させることができる。
【００４４】
また、選定されたスプリングは、識別番号やデータ（外径や巻数、スプリングトルク値等）を示すデータをＦＤ等の記憶媒体４ｃに複写することができる。
この記憶媒体４ｃは、製造部門におけるスプリング作成のためのデータとしてそのまま使用することができる。本装置が設計部門に設けられる場合、製造部門へはこの記憶媒体４ｃを介してデータを容易に持ち運べ作業を効率化できる。
また、製造部門に外部装置が設けられる場合、本装置の通信手段４ｄを介して選定されたスプリングのデータを通信手段４ｄを介して容易に伝送できる。
【００４５】
ところで、スプリングのバランス判断（ＳＰ４）で、この選定されたスプリングのトルク特性ＳＴの一部（１点鎖線で示す符号Ａの部分）が、開放時と閉鎖時のトルク値ＯＴ，ＣＴに対して上端位置で一定範囲を越えたとき、トルクバランスチェック部１４は、この選定されたスプリングは評価基準を満たしていないと判断され、実際には使用できない状態である（ＳＰ５−ＮＯ  ）。
【００４６】
ここで、一般的なシャッターでは開放時と閉鎖時のトルク値ＯＴ，ＣＴは直線的にはならず、上端位置付近で傾斜が生じる。一方、選定されるスプリングは、直線的なトルクを発生しトルク特性ＳＴは直線状になる。このため、開放時と閉鎖時のトルク値ＯＴ，ＣＴに対して一定範囲を設定しておき、選定されたスプリングのトルク特性ＳＴがこの一定範囲を越えたか否かを判断している。例えば、図３のようなトルク特性ＳＴのスプリングは一定範囲内にあると判断され、大幅に上方に逸れたトルク特性ＳＴのスプリングは使用できないと判断される。
このように、バランスチェック図を用い図面表示することにより、選定されたスプリングのトルクバランスを容易に把握でき、問題点が発生したときにはこれを容易に抽出できるようになる。
【００４７】
これを受けてスプリング選定部１１が起動され、順次他のランク（例えば１ランク下のスプリング）を選定する。
あるいは選定条件の項目数を増加設定して再度スプリングの選定処理を行う。具体的には、前記入力項目設定部８にてデフォルト値が用いられた選定項目のうち一部を入力手段１への入力で変更設定する（ＳＰ１０）。
【００４８】
また、スプリングの収納状態シミュレーション（ＳＰ６）で、評価基準を満たさなかった場合（ＳＰ７−ＮＯ  ）、即ち、カゴ内にスプリングが収納できない場合、例えば、表示部４ａの画面表示上では選定されたスプリングの全長が長く、スプリング同士が接して表示された状態となる。
ここで、カゴ内に収納できないスプリングは、反転表示あるいは赤色等、カゴと識別でき確認しやすい表示色に変更される。
このように、収納状態シミュレーションでカゴとスプリングを図面表示することにより、選定されたスプリングの収納状態を容易に把握でき、問題点が発生したときにはこれを容易に抽出できるようになる。
【００４９】
これら、選定されたスプリングのバランスチェック及び、収納状態シミュレーションのいずれか一方でも評価基準を満たさなかったときには、入力項目設定部８でスプリング選定のための項目の一部が変更設定されスプリング選定部１１でのスプリング選定が再度行われる。
この項目変更は、例えば、スプリングＤＢ３ｂからデフォルト値で読み出したスプリングの巻数、線径、スプリング種類、本数等を変更したり、シャッターＤＢ３ａからデフォルト値で読み出したカゴ種類を変更する等、１つあるいは複数の項目について入力手段１から変更入力して行う。具体的には、操作者が操作部１ａや、通信手段１ｂを介して外部装置を操作してこの変更入力を行う。
【００５０】
変更は、各レイヤ（バランスチェックあるいは収納状態シミュレーション）別に対応する項目のデータがそれぞれ画面上に一覧表示された状態で、この項目のうち一部を指定して変更入力するもので（ＳＰ１１）、入力手段１への入力をステップ毎に確認しながら行え、項目変更入力後であっても再度修正（ＳＰ１２−ＮＯ  ）できるようになっている。
この変更入力としては、上記デフォルト値を変更設定するものの他に、入力項目設定部８が予め変更を想定した選定項目と変更する値を用意する構成とされ、これらの中から選択設定する簡素化した形で行うこともできる。
【００５１】
上記いずれの変更入力であっても、スプリング選定部１１は、前回の選定の基となったデータのうち一部の項目が変更された状態で再度スプリングを選定することになり（ＳＰ３）、以降は、前記同様に再度ＳＰ４，ＳＰ６にてバランスチェック及び収納状態シミュレーションが行われる。
これらバランスチェック部１４、収納状態シミュレーション部１５は、バランスチェック、収納状態シミュレーションを出力手段４の表示部４ａ上に結果を表示出力する構成とし、操作者がこの表示画面を見て評価判断する構成としてもよい。
このように項目設定を変更して再度スプリング選定を行うことにより、バランスチェック及び収納シミュレーションの評価基準を満たすスプリングがより短時間で効率的に選定できるようになる。
【００５２】
このように、所定の間口及び高さを有するシャッターに最適なスプリングが選定されると、スプリング選定表の対応するセルに選定されたスプリングの識別番号及びデータが記憶される。
そして、間口及び高さが異なる同様な仕様のシャッターについても、上記処理と同様のステップを実行処理することにより、対応するセル部分にスプリングのデータを記憶することができ、各間口及び高さ毎に上記処理を行うことにより、同一仕様のシャッター（単一のスプリング選定表）の各間口及び高さ（各セル）部分にこの間口及び高さのシャッターに最適なスプリングのデータが記憶されるようになる。
尚、仕様が異なるシャッターについては、異なるスプリング選定表を新たに作成することになる。
【００５３】
また、前記スプリング選定表には、各間口及び高さのセルにそれぞれ選定されたスプリングのデータ及び識別番号が設定記憶されるため、この後において、同一のシャッターのスプリング選定表を開き、所望する間口及び高さのセルを開くだけで選定済の最適なスプリングのデータを得ることができるようになる。無論、このときに演算部１０で再度スプリングの選定処理を行う必要はない。
本装置によればは、初心者でも煩雑なスプリング選定作業を行わずとも、セルを開くだけで容易にスプリングのデータを得ることができる。
【００５４】
これにより、シャッターの製造部門では、所望する間口及び高さのシャッターに関するセルを開くだけで選定済の最適なスプリングのデータを得ることができ、直ちにシャッター製造に取りかかることができるようになる。
製造部門に外部装置を設ければ、記憶媒体４ｃのみに限らず、通信手段４ｄを介してこの選定されたスプリングのデータを容易に受け取ることができるようになる。
さらに、この外部装置が通信手段１ｂを介して本装置を操作する構成とすれば、製造部門では、必要とするスプリングのデータが格納されたスプリング選定表の該当する各間口及び高さ（セル）を開くだけで容易に得ることができるようになる。
【００５５】
【発明の効果】
本発明によれば、シャッター仕様等の選定条件を入力手段から入力すると、シャッターに適合するスプリングを選定し、出力手段の画面等にデータ出力するため、間口及び高さ、開閉に必要なトルクが各異なるシャッターにそれぞれ適応するスプリングを容易に選定でき、併せてスプリングの選定結果の信頼性を向上させることができる。
選定手段にトルクバランスチェック部を設けることにより、選定されたスプリングが有するトルク値をバランスチェック図を用いてシャッター開閉時の基準トルク値と比較し、シャッターへの適合性を判断できるようになる。
また、収納状態シミュレーション部を設けることにより、選定されたスプリングがカゴ内で仮想的に図面表示され、収納の可否が判断できるようになる。
上記バランスチェック又は収納状態シミュレーションのいずれかでも評価を満たさないときには、選定手段は選定条件の変更に基づきスプリングを再選定する。
【００５６】
各シャッターは間口及び高さ、開閉に必要なトルク及びカゴの配置状態がそれぞれ異なるが、再度、スプリングを選定する場合には、トルクバランスチェックと収納状態シミュレーションを行った後に行われるため、バランスチェック図及び収納シミュレーションの図面表示を見るだけで、生じている問題点を容易に把握して適切な対処を施すことができるようになり、これらの評価を満たしシャッターに適合するスプリングを短時間で選定できるようになり、シャッター設計を効率的に行えるようになる。
また、選定されたスプリングのデータは出力手段の記憶媒体や通信手段を介して容易に外部出力することができるため、設計部門と製造部門との間のスプリングデータのやりとりも容易に行える。
選定されたスプリングのデータはスプリング選定表の各間口及び高さのセル部分にそれぞれ格納される構成であるため、シャッター製造に必要なスプリングのデータはこのスプリング選定表を該当セル部分を開くだけで容易に得ることができるようになり、本装置は、設計部門の作業効率の向上に限らす、製造部門での作業効率の向上にも寄与し、シャッター制作全体の作業工程の効率化を達成し得るものである。
【００５７】
また、新たにスプリング選定を行う場合には、格納手段に格納された一般的なデフォルト値を用いて行われるため、少ない入力数でスプリングを簡単に選定でき、操作性が向上し誤操作も少なくできる。併せて上記トルクバランスと収納状態シミュレーションによる図面表示によって、問題点が容易に把握できるから、従来、専門の知識を必要とした習熟者しか行えなかったスプリング選定作業を初心者でも行えるようになる。
【図面の簡単な説明】
【図１】本発明のスプリング選定装置の構成を示すブロック図。
【図２】スプリング選定表の表示状態を示す図。
【図３】バランスチェック図の表示状態を示す図。
【図４】収納状態シミュレーションの表示状態を示す図。
【図５】本装置のスプリング選定工程を示すフローチャート。
【図６】シャッターに設けられるスプリングを示す正断面図。
【符号の説明】
１…入力手段、２…選定手段、３…格納手段、３ａ…シャッターＤＢ、３ｂ…スプリングＤＢ、４…出力手段、４ａ…表示部、４ｂ…作図部、４ｃ…記憶媒体、６…入力部、７…選定条件設定部、８…入力項目設定部、１０…演算部、１１…スプリング選定部、１２…スプリング選定表作成部、１３…出力部、１４…トルクバランスチェック部、１５…収納状態シミュレーション部。
【図１】
0003582221.tif 000002
【図２】
0003582221.tif 000003
【図３】
0003582221.tif 000004
【図４】
0003582221.tif 000005
【図５】
0003582221.tif 000006
【図６】
0003582221.tif 000007